(57)【要約】【課題】長期的な潤滑剤保持性能を有する潤滑剤供給体、及び長期に渡りムラが少なく安定した潤滑状態が維持された直動装置を提供する。【解決手段】潤滑剤供給体２３は潤滑油を気泡内に含ませた合成樹脂からなる。潤滑剤供給体２３の内部において発生した潤滑油の偏りを解消するために、第１貫通孔及び第２貫通孔が形成され、それぞれの内径より外径が大きい嵌合部材が第１貫通孔及び第２貫通孔の少なくとも何れか一方に嵌め込まれる。【選択図】図３
2017026110.tif 000002
【特許請求の範囲】
【請求項１】
潤滑油を多数の気泡内に含ませた合成樹脂からなり、
２つの袖部とこれら２つの袖部を連結する胴部とからなるＵ字状の断面形状をなして、
前記２つの袖部のそれぞれには、固定対象に固定するために該袖部を貫通し、互いに背く向きに側面に開口する第１貫通孔が形成され、
前記胴部には、該胴部を貫通し、前記袖部とは反対向きに開口する第２貫通孔が形成され、
前記袖部及び前記胴部の上面の断面形状が曲率半径Ｒ１の円弧形状とされ、
前記袖部の側面の断面形状が曲率半径Ｒ２の円弧形状とされ、
第１貫通孔に、該第１貫通孔の内径より外径が大きい嵌合部材を嵌め込んだことを特徴とする潤滑剤供給体。
【請求項２】
潤滑油を多数の気泡内に含ませた合成樹脂からなり、
２つの袖部とこれら２つの袖部を連結する胴部とからなるＵ字状の断面形状をなして、
前記２つの袖部のそれぞれには、固定対象に固定するために該袖部を貫通し、互いに背く向きに側面に開口する第１貫通孔が形成され、
前記胴部には、該胴部を貫通し、前記袖部とは反対向きに開口する第２貫通孔が形成され、
前記袖部及び前記胴部の上面の断面形状が曲率半径Ｒ１の円弧形状とされ、
前記袖部の側面の断面形状が曲率半径Ｒ２の円弧形状とされ、
第２貫通孔に、該第２貫通孔の内径より外径が大きい嵌合部材を嵌め込んだことを特徴とする潤滑剤供給体。
【請求項３】
前記嵌合部材が環状又は円柱状である請求項１又は２に記載の潤滑剤供給体。
【請求項４】
直線状に延びる案内レールと、この案内レールの外側に配置されて相対的に直線移動するスライダと、両部材の対向する位置に設けた転動面で構成される軌道を負荷状態で転動する転動体と、前記軌道の終点から始点へ転動体を移動させる循環部とを有し、この循環部と前記軌道により転動体の循環経路が構成され、
前記スライダの少なくとも一方の直動方向端部に請求項１〜３の何れか一項に記載の潤滑剤供給体を設けたことを特徴とする直動装置。
【発明の詳細な説明】
【技術分野】
【０００１】
本発明は、潤滑剤供給体及びこれを備えた直動装置（ボールねじ装置やモノキャリア装置等）に関する。
【背景技術】
【０００２】
従来より、直動装置として、直動案内軸受装置（リニアガイド）や、ボールねじ装置や、モノキャリア装置が提案されている。このような直動案内装置に使用される潤滑剤供給体としては、例えば、特許文献１及び特許文献２に記載されたものがある。
【０００３】
特許文献１に記載された潤滑剤供給体（潤滑プレート）は、サイドとエンドキャップとの間に挟持され、ボルトにてスライダ本体の端面に固定されている。この潤滑プレートは、レールと接触するスライダの走行に伴って、そのレールに潤滑油を塗布する。また、特許文献１に記載された潤滑プレートは、芯金を有することによって、レールの溝に対する給油部材の摺接状態を高い精度で維持して潤滑油を塗布することとしている。
一方、特許文献２に記載された直動案内ユニットは、レールへの組付け、取外し等の取り扱いを容易にするため、潤滑プレートを支持体に組み込んだものである。
【先行技術文献】
【特許文献】
【０００４】
【特許文献１】特開平１１−３５１２５１号公報
【特許文献２】特開平１１−９３９５２号公報
【発明の概要】
【発明が解決しようとする課題】
【０００５】
しかしながら、特許文献１，２に記載の発明は、潤滑油を吸収した潤滑プレートの内部において潤滑油の分布が偏ることがある。その結果、レールに塗布された潤滑油にムラができ、安定した潤滑状態を維持できない可能性があり、改善の余地があった。
【０００６】
そこで、本発明は上記課題に着目してなされたものであり、その目的は、長期的な潤滑剤保持性能を有する潤滑剤供給体を提供することにある。また、本発明の目的は、長期に渡りムラが少なく安定した潤滑状態が維持された直動装置を提供することにある。
【課題を解決するための手段】
【０００７】
上記課題を解決するための本発明のある態様の潤滑剤供給体は、潤滑油を多数の気泡内に含ませた合成樹脂からなり、
２つの袖部とこれら２つの袖部を連結する胴部とからなるＵ字状の断面形状をなして、
上記２つの袖部のそれぞれには、固定対象に固定するために該袖部を貫通し、互いに背く向きに側面に開口する第１貫通孔が形成され、
上記胴部には、該胴部を貫通し、上記袖部とは反対向きに開口する第２貫通孔が形成され、
上記袖部及び上記胴部の上面の断面形状が曲率半径Ｒ１の円弧形状とされ、
上記袖部の側面の断面形状が曲率半径Ｒ２の円弧形状とされ、
第１貫通孔に、該第１貫通孔の内径より外径が大きい嵌合部材が嵌め込まれている。
【０００８】
また、上記課題を解決するための本発明の他の態様の潤滑剤供給体は、潤滑油を多数の気泡内に含ませた合成樹脂からなり、
２つの袖部とこれら２つの袖部を連結する胴部とからなるＵ字状の断面形状をなして、
上記２つの袖部のそれぞれには、固定対象に固定するために該袖部を貫通し、互いに背く向きに側面に開口する第１貫通孔が形成され、
上記胴部には、該胴部を貫通し、上記袖部とは反対向きに開口する第２貫通孔が形成され、
上記袖部及び上記胴部の上面の断面形状が曲率半径Ｒ１の円弧形状とされ、
上記袖部の側面の断面形状が曲率半径Ｒ２の円弧形状とされ、
第２貫通孔に、該第２貫通孔の内径より外径が大きい嵌合部材が嵌め込まれている。
ここで、上記潤滑剤供給体においては、上記嵌合部材が環状又は円柱状であってもよい。
【０００９】
また、上記課題を解決するための本発明のある態様の直動装置は、直線状に延びる案内レールと、この案内レールの外側に配置されて相対的に直線移動するスライダと、両部材の対向する位置に設けた転動面で構成される軌道を負荷状態で転動する転動体と、上記軌道の終点から始点へ転動体を移動させる循環部とを有し、この循環部と上記軌道により転動体の循環経路が構成され、
上記スライダの少なくとも一方の直動方向端部に設けられた潤滑剤供給体が、潤滑油を多数の気泡内に含ませた合成樹脂からなり、
２つの袖部とこれら２つの袖部を連結する胴部とからなるＵ字状の断面形状をなして、
上記２つの袖部のそれぞれには、固定対象に固定するために該袖部を貫通し、互いに背く向きに側面に開口する第１貫通孔が形成され、
上記胴部には、該胴部を貫通し、上記袖部とは反対向きに開口する第２貫通孔が形成され、
上記袖部及び上記胴部の上面の断面形状が曲率半径Ｒ１の円弧形状とされ、
上記袖部の側面の断面形状が曲率半径Ｒ２の円弧形状とされ、
第１貫通孔に、該第１貫通孔の内径より外径が大きい嵌合部材が嵌め込まれている。
【００１０】
また、上記課題を解決するための本発明の他の態様の直動装置は、直線状に延びる案内レールと、この案内レールの外側に配置されて相対的に直線移動するスライダと、両部材の対向する位置に設けた転動面で構成される軌道を負荷状態で転動する転動体と、上記軌道の終点から始点へ転動体を移動させる循環部とを有し、この循環部と上記軌道により転動体の循環経路が構成され、
上記スライダの少なくとも一方の直動方向端部に設けられた潤滑剤供給体が、潤滑油を多数の気泡内に含ませた合成樹脂からなり、
２つの袖部とこれら２つの袖部を連結する胴部とからなるＵ字状の断面形状をなして、
上記２つの袖部のそれぞれには、固定対象に固定するために該袖部を貫通し、互いに背く向きに側面に開口する第１貫通孔が形成され、
上記胴部には、該胴部を貫通し、上記袖部とは反対向きに開口する第２貫通孔が形成され、
上記袖部及び上記胴部の上面の断面形状が曲率半径Ｒ１の円弧形状とされ、
上記袖部の側面の断面形状が曲率半径Ｒ２の円弧形状とされ、
第２貫通孔に、該第２貫通孔の内径より外径が大きい嵌合部材が嵌め込まれている。
ここで、上記直動装置においては、上記嵌合部材が環状又は円柱状であってもよい。
【発明の効果】
【００１１】
本発明のある態様によれば、長期的な潤滑剤保持性能を有する潤滑剤供給体を提供することができる。
また、本発明のある態様によれば、長期に渡りムラが少なく安定した潤滑状態が維持された直動装置を提供することができる。
【図面の簡単な説明】
【００１２】
【図１】直動装置のある態様における構成を示す斜視図である。
【図２】直動装置のスライダの端部に取り付けられる各部材の取付状態を示す分解斜視図である。
【図３】潤滑剤供給体のある態様における構成を示す正面図である。
【図４】潤滑剤供給体のある態様における挙動を示す正面図であり、（ａ）は嵌合部材を第１貫通孔に嵌め込んでいない場合の正面図、（ａ）は嵌合部材を第１貫通孔に嵌め込んだ場合の正面図である。
【図５】直動装置の他の態様におけるスライダの端部に取り付けられる各部材の取付状態を示す分解斜視図である。
【図６】潤滑剤供給体の他の態様における挙動を示す正面図であり、（ａ）は嵌合部材を第１貫通孔に嵌め込んでいない場合の正面図、（ａ）は嵌合部材を第１貫通孔に嵌め込んだ場合の正面図である。
【発明を実施するための形態】
【００１３】
以下、本発明に係る潤滑剤供給体及び直動装置の実施形態について図面を参照して説明する。
図１は、直動装置のある態様における構成を示す斜視図である。また、図２は、直動装置のスライダの端部に取り付けられる各部材の取付状態を示す分解斜視図である。また、図３は、潤滑剤供給体のある態様における構成を示す正面図である。また、図４は、潤滑剤供給体のある態様における挙動を示す正面図であり、（ａ）は嵌合部材を第１貫通孔に嵌め込んでいない場合の正面図、（ａ）は嵌合部材を第１貫通孔に嵌め込んだ場合の正面図である。なお、図３，図４，図６においては、後述する「多数の気泡」をハッチングで示している。
【００１４】
＜直動装置の構成＞
図１に示すように、本実施形態の直動装置は、案内レール１０とスライダ２０と、転動体としてのボール（図示せず）とを有する。スライダ２０は、本体２１と、エンドキャップ２２と、潤滑剤供給体２３と、サイドシール２４とを有する。
【００１５】
案内レール１０の上面１０Ａと両側面１０Ｂ，１０Ｂが交叉する稜線部には、断面形状がほぼ１／４円弧形状の軸方向の凹溝からなる一方の転動体転動溝１０ａが形成される。また、案内レール１０の両側面１０Ｂ，１０Ｂのそれぞれの中間位置には、断面形状がほぼ半円形の他方の転動体転動溝１０ｂが形成されている。
【００１６】
また、案内レール１０の転動体転動溝（転動体転動面）１０ａ，１０ｂと、スライダ２０の図示されない転動体転動溝（転動体転動面）とで、ボール（図示せず）が負荷状態で転動する軌道が形成される。そして、この軌道の終点から始点へボールを移動させる循環部がエンドキャップ２２内に形成されている。エンドキャップ２２とサイドシール２４との間には潤滑剤供給体２３が配置されている。なお、エンドキャップ２２と潤滑剤供給体２３との間には図１，２に示すように補強板２６が設けられてもよい。図２に示すように、補強板２６は、エンドキャップ２２の外形に合わせたＵ字状の断面形状をなす鋼板であり、その両袖部２６Ａ，２６Ｂには、取付ネジ貫通用の貫通孔２６ａ，２６ｂが形成されると共に、それら両袖部２６Ａ，２６Ｂを連結する胴部２６Ｃには、グリースニップル用の貫通孔２６ｃが形成されている。なお、この補強板２６は、案内レール１０とは非接触である。
【００１７】
また、サイドシール２４は、エンドキャップ２２の外形に合わせたＵ字状の断面形状の鋼板と、この鋼板と相似の形状を有してその外面に一体的に成形されたグリースを含有したポリウレタンゴムとを有して構成されている。サイドシール２４の案内レール１０と接触するリップ部２５は、その内側の面が、スライダ２０と案内レール１０との間のすき間をシールできるように、案内レール１０の断面形状に合わせて案内レール１０の上面１０Ａ及び外側面１０Ｂに摺接可能な形状に成形されている。このリップ部２５の形状は、より具体的には、転動体転動溝１０ａ，１０ｂにも摺接可能な形状に成形されている。なお、このサイドシール２４の両袖部２４Ａ，２４Ｂにも、取付ネジ貫通用の貫通孔２４ａ，２４ｂが形成されると共に、それら両袖部２４Ａ，２４Ｂを連結する胴部２４Ｃには、グリースニップル用の貫通孔２４ｃが形成されている。
【００１８】
＜潤滑剤供給体＞
［構成］
そして、これらサイドシール２４及びエンドキャップ２２（又は補強板２６）間に挟まれている潤滑剤供給体２３は、エンドキャップ２２の外形に合わせたＵ字状の断面形状に形成されている。そのＵ字状の断面形状の内側の面は、テーパ状ではなく平坦な形状であって、リップ部２５の内面と同様に、案内レール１０の断面形状に合わせて案内レール１０の上面１０Ａ及び転動体転動溝１０ａ，１０ｂを含む外側面１０Ｂに摺接可能な形状となっている。
【００１９】
また、潤滑剤供給体２３の正面図である図３に示すように、この潤滑剤供給体２３の両袖部２３Ａ，２３Ｂにも、取付ネジ貫通用の貫通孔２３ａ，２３ｂが形成されると共に、それら両袖部２３Ａ，２３Ｂを連結する胴部２３Ｃには、グリースニップル用の貫通孔２３ｃが形成されている。ここで、貫通孔２３ａ，２３ｂのそれぞれは袖部２３Ａ，２３Ｂの外側面側に開放しており、貫通孔２３ｃは胴部２３Ｃの上面側に開放している。
【００２０】
この潤滑剤供給体２３の凹部は、その内面が案内レール１０の上面１０Ａ及び転動体転動溝１０ａ，１０ｂを含む外側面１０Ｂに摺接するような寸法に形成される。
また、その凹部内面の案内レール１０の転動体転動溝１０ａ，１０ｂに対向する部分には、それら各溝１０Ａ，１０Ｂの内面に摺接するように凸部２３ｆ，２３ｇ，２３ｄ及び２３ｅが形成されている。
【００２１】
ここで、図３に示すように、潤滑剤供給体２３の上面２３０ｃの断面形状は、この潤滑剤供給体２３に外部から力を与えていない状態で、袖部２３Ａ，２３Ｂに近い端部側よりも中央部側が下方に突き出るように、曲率半径Ｒ１の円弧形状とされている。
また、図３に示すように、潤滑剤供給体２３の側面２３０ａ，２３０ｂのそれぞれの断面形状は、この潤滑剤供給体２３に外部から力を与えていない状態で、袖部２３Ａ，２３Ｂの上部側及び下部側よりも中央部側が内方（案内レール１０側）に突き出るように、曲率半径Ｒ２の円弧形状とされている。
【００２２】
［嵌合部材］
そして、本実施形態では、図２及び図４（ｂ）に示すように、潤滑剤供給体２３の胴部２３Ｃに形成された第１貫通孔２３ｃに、リング状（又は中実円柱状）の嵌合部材（以下、リング状部材ということがある）２７が組み立てられる段階で既に嵌め込まれている。この嵌合部材２７は、図２及び図４（ｂ）に示すように、短い円筒形状の部材であり、その外径は、第１貫通孔２３ｃの内径より外径が大きい寸法となっている。つまり、嵌合部材２７は、第１貫通孔２３ｃに嵌め込むことにより、その第１貫通孔２３ｃを押し広げる付勢手段として機能するようになっている。
【００２３】
また、嵌合部材２７の軸方向の長さは、潤滑剤供給体２３の厚さよりも、若干（例えば、０．２ｍｍ程度）長くなっている。つまり、嵌合部材２７を第１貫通孔２３ｃに嵌め込むと、嵌合部材２７の端部が、潤滑剤供給体２３の表面又は裏面から突出するようになっている。
【００２４】
さらに、潤滑剤供給体２３は、多数の気泡が含有されている多孔質部材である。これらの気泡には、潤滑剤が内包されており、潤滑剤供給体２３の収縮によって気泡内の潤滑剤が放出されるようになっている。
【００２５】
［材料］
次に、潤滑剤供給体２３の材料について詳細に説明する。潤滑剤供給体２３は、ポリエチレン、ポリプロピレン、ポリブチレン、ポリメチルペンテン等の基本的に同じ化学構造を有するポリオレフィン系樹脂の群から選定した合成樹脂からなる。
特に、潤滑剤を含有する多孔質部材としては、連続気泡を有する多孔質高分子が適当であり、具体的には、軟質ウレタンフォーム、ポリスチレンフォーム、ポリ塩化ビニルフォーム、フエノール樹脂フォーム、尿素樹脂フォーム、ポリビニルアルコールフォーム、ビスコーススポンジ、ラバーフォーム、シンタクチックフォーム等を使用することができる。
また、潤滑剤供給体２３に含まれる潤滑剤としては、ポリα−オレフィン油のようなパラフイン系炭化水素油、ナフテン系炭化水素油、鉱油、ジアルキルジフェニルエーテル油のようなエーテル油、フタル酸エステルのようなエステル油等のいずれかを単独若しくは混合油の形で混ぜて調整した原料を、射出成形により成形したものである。潤滑剤の中には、酸化防止剤、錆止め剤、摩擦防止剤、泡消し剤、極圧剤等の各種添加剤が予め加えられてもよい。
【００２６】
潤滑剤供給体２３の組成比は、全質量に対してポリオレフィン系樹脂が２０〜８０質量％であることが好ましく、２０〜５０質量％であることがより好ましく、潤滑剤８０〜２０質量％であることがさらに好ましく、８０〜５０質量％であることが特に好ましい。ポリオレフィン系樹脂が２０質量％未満の場合は、あるレベル以上の硬さ、強度が得られ難い。また、ポリオレフィン系樹脂が８０質量％を越える場合（つまり、潤滑剤が２０質量％未満の場合）は、潤滑剤の供給が少なくなり、リニアガイド装置のメンテナンスフリー化が困難となる。実用的には、潤滑剤５０〜８０質量％（ポリオレフィン系樹脂５０〜２０質量％）が潤滑剤の供給が豊富であり、供給能力が長期間保てるので好適である。
【００２７】
上述した合成樹脂の群は、基本構造は同じでその平均分子量が異なっており、７００〜５×１０６の範囲に及んでいる。その中で、平均分子量７００〜１×１０４というワックス（例えば、ポリエチレンワックス）に分類されるものと、平均分子量１×１０４〜１×１０６という比較的低分子量のものと、１×１０６〜５×１０６という超高分子量のものとを、単独若しくは必要に応じて混合して用いる。比較的低分子量のものと潤滑剤の組合せによって、ある程度の機械的強度、潤滑剤供給能力、保油性をもつ潤滑剤含有ポリマ部材が得られる。その中の比較的低分子量のものの一部を、ワックスに分類されるものに置換えると、ワックスに分類されるものと、潤滑油との分子量が小さいために潤滑油との親和性が高くなり、結果として保油性が大きくなり、潤滑剤供給能力は低下する（それによって、より長期間に渡って潤滑剤を供給することが可能となる）。また、その反面、機械的強度は低下する。ワックスとしては、ポリエチレンワックスのようなポリオレフィン系樹脂の他、融点が１００〜１３０℃以上の範囲にある炭化水素系の物（例えば、パラフィン系合成ワックス）であれば使用できる。それに対して、超分子量のものに置換えると、超高分子量のものと潤滑油との分子量の差が大きいため、潤滑油との親和性が低くなり、結果として、保油性が悪くなり、潤滑剤供給能力は上昇する（それにより、比較的短期間に潤滑剤が供給される）。また、機械的強度も上昇する。
【００２８】
射出成形性、機械的強度、潤滑剤供給能力、保油性のバランスを考慮すると、潤滑剤供給体２３における合成樹脂（ポリマ）の組成比は、ワックスに分類されるもの０〜５質量％、比較的低分子量のもの５〜４８質量％、超高分子量のもの２〜１０質量％であって、かつ３つの樹脂分の合計が２０〜５０質量％（残りが潤滑剤８０〜５０質量％）となるような範囲が好適である。
【００２９】
リニアガイド装置の長期メンテナンスフリー化を達成するために、スライダ２０の端面に配設される潤滑剤供給体２３は、スライダ２０の一方若しくは両方の端面に少なくとも２枚以上配設し、その中の少なくとも１枚の潤滑剤供給体２３にワックスを含有させたものを使用してもよい。ワックスを含有させた潤滑剤供給体２３を使用することで潤滑剤供給期間が長くなり、潤滑油補給等のメンテナンスを長期間省略することが可能になる。
【００３０】
［その他の材料］
潤滑剤供給体２３の機械的強度を向上させるため、上述のポリオレフィン系樹脂に、以下のような熱可塑性及び熱硬化性樹脂を添加したものでもよい。
熱可塑性樹脂としては、ポリアミド、ポリカーボネート、ポリブチレンテレフタレート、ポリフェニレンサルファイド、ポリエーテルスルホン、ポリエーテルエーテルケトン、ポリアミドイミド、ポリスチレン、ＡＢＳ樹脂等の各樹脂を使用することができる。
熱硬化性樹脂としては、不飽和ポリエステル樹脂、尿素樹脂、メラミン樹脂、フェノール樹脂、ポリイミド樹脂、エポキシ樹脂等の各樹脂を使用することができる。これらの樹脂は、単独又は混合して用いてもよい。
【００３１】
［添加剤等］
さらに、ポリオレフィン系樹脂とそれ以外の樹脂とをより均一な状態で分散させるために、必要に応じて適当な相溶化剤を加え合ってもよい。
また、機械的強度を向上させるために、充填剤を添加してもよい。例えば、炭酸カルシウム、炭酸マグネシウム、チタン酸カリウムウィスカーやホウ酸アルミニウムウィスカー等の無機ウィスカー類、あるいはガラス繊維やアスベスト、金属繊維等の無機繊維類及びこれ等を布状に編組したもの、また有機化合物では、カーボンブラック、黒鉛粉末、カーボン繊維、アラミド繊維やポリエステル繊維等を添加してもよい。
【００３２】
さらに、ポリオレフィン系樹脂の熱による劣化を防止する目的で、Ｎ，Ｎ’−ジフェニル−Ｐ−フェニレンジアミン、２，２’−メチレンビス（４−エチル−６−ｔ−ブチルフェノール）等の老化防止剤、また光による劣化を防止する目的で、２−ヒドロキシ−４−ｎ−オクトキシベンゾフェノン、２−（２’−ヒドロキシ−３’−第三−ブチル−５’−メチル−フェニール）−５−クロロベンゾトリアゾール等の紫外線吸収剤を添加してもよい。
【００３３】
以上の全ての添加剤（ポリオレフィン＋油以外）の添加量としては、添加剤全体として、成形原料全重量の２０質量％以下であることが、潤滑剤の供給能力を維持する上で好ましい。
なお、スライダ２０の端面に配設した潤滑剤供給体２３の外側に、さらに、ニトリルゴムなどのゴム材料と芯金を一体化したシール装置を設けてもよい。潤滑剤供給体２３から供給される潤滑剤は、直動案内軸受装置自体の潤滑に使われる他、シール装置のゴムリップ部の潤滑にも使われ、ゴムリップ部の磨耗を低減しシール性を維持することにも作用する。
【００３４】
［潤滑油］
潤滑剤供給体２３に含まれる潤滑油は、従来と同じ、基油（基油又は基油と添加剤）、増ちょう剤、各種添加剤（極圧剤、酸化防止剤等）で構成される。
【００３５】
［潤滑剤供給体の設置］
このようにして、潤滑剤が含まれた多数の気泡が内部に形成された潤滑剤供給体２３は、図２に示すように、エンドキャップ２２とサイドシール２４（又は補強板２６）との間に配置され、サイドシール２４の外側から入れたボルト２９（２９Ａ，２９Ｂ）を用いて、サイドシール２４並びにエンドキャップ２２（及び補強板２６）とともに本体２１に取り付けられる。
【００３６】
手順としては、まず、案内レール１０、本体２１、エンドキャップ２２、及びボール（図示せず）により、案内レール１０と本体２１及びエンドキャップ２２とで形成されたボール循環経路に、ボールを入れた状態とする。次に、この状態で、エンドキャップ２２の外側に潤滑剤供給体２３とサイドシール２４を配置して、ボルト２９Ａを、サイドシール２４の取り付け穴２４ａ、潤滑剤供給体２３の取り付け穴２３ａ、及びエンドキャップ２２の取り付け穴２２ａに通して、その先端を本体２１の雌ねじに螺合する。一方、サイドシール２４の取り付け穴２４ｂ、潤滑剤供給体２３の取り付け穴２３ｂ、及びエンドキャップ２２の取り付け穴２２ｂには、ボルト２９Ｂが通され、その先端を本体２１の雌ねじに螺合する
【００３７】
このようにして、潤滑剤供給体２３とサイドシール２４のシール部が、案内レール１０と接触状態で取り付けられる。そして、潤滑剤供給体２３から、案内レール１０の転動体転動溝１０ａ，１０ｂと上面１０ｃに潤滑油が供給される。そして、潤滑剤供給体２３自体に含まれる潤滑油が長期間放出された結果、潤滑剤供給体２３が収縮することにより、潤滑剤供給体２３内の多数の気泡が順次連鎖的に押しつぶされ、気泡内から潤滑油が供給される。
【００３８】
特に、潤滑剤供給体２３の案内レール１０に近い部分は潤滑剤の供給量が多いため、潤滑剤供給体２３に直接含まれる潤滑剤の減りが早く、潤滑剤供給体２３自体の収縮も早い。すなわち、潤滑剤供給体２３に含まれる気泡はほぼ全てが一度に割れるわけではない。その結果、潤滑剤の減りが早い部分（例えば、案内レール１０に近い部分）の気泡が早い時期に割れ、潤滑剤が気泡から逐次供給されるため、潤滑剤の供給が絶えず供給される。従って、このような気泡を含まず、潤滑油を含ませた潤滑剤供給体を取り付けた場合と比較して、長期に渡り安定した潤滑状態が維持される。
【００３９】
ここで、従来の潤滑剤供給体においては、図４（ａ）に示すように、気泡同士が連結し、大きな気泡３０が胴部２３Ｃに生じる場合がある。このような大きな気泡３０内では、潤滑剤が偏って含有されているため、潤滑剤の放出にムラが生じ、好ましくない。
【００４０】
そこで、本実施形態では、潤滑剤供給体２３の胴部２３Ｃに形成される第１貫通孔２３ｃの上面側を切り欠いて開放しているため、図４（ａ），（ｂ）に示すように、袖部２３Ａ及び２３Ｂを容易に左右に押し広げることができる。そして、その第１貫通孔２３ｃには、その内径よりも外径が大きい嵌合部材２７が嵌め込まれるので、図４（ｂ）に示すように、潤滑剤供給体２３を案内レール１０に跨がせた状態では、付勢手段である嵌合部材２７が第１貫通孔２３ｃを左右に押し広げることにより、袖部２３Ａ及び２３Ｂを案内レール１０に押し付ける付勢力が発生する。
【００４１】
そしてそれに伴って、胴部２３Ｃに生じた大きな気泡３０が潤滑剤供給体２３の幅方向に扁平して、案内レール１０の接触力によりその大きな気泡３０から潤滑剤が放出され、各気泡へ拡散する。
その結果、長期的な潤滑剤保持性能を有する潤滑剤供給体、及び長期に渡りムラが少なく安定した潤滑状態が維持された直動装置を提供することができる。
【００４２】
また、嵌合部材２７の軸方向の長さを、潤滑剤供給体２３の厚さよりも大きくして、嵌合部材２７の端部を潤滑剤供給体２３の表面又は裏面から突出させているので、潤滑剤供給体２３は、補強板２６及びサイドシール２４に挟まれているにも関わらず、それらとの間の摩擦が小さくなっている。このため、潤滑体供給体２３の自己収縮や付勢力による潤滑剤供給体２３の変形がスムーズに行われるので、潤滑剤供給体２３を常に確実に案内レール１０に密着させることができる。
【００４３】
さらに、潤滑剤供給体２３の上面２３０ｃを上述のような円弧形状としているため、上述した自己収縮や付勢力によって潤滑剤供給体２３の袖部２３Ａ及び２３Ｂが案内レール１０に押し付けられる方向に変形すると、その上面２３０ｃは水平状態に近づき、潤滑体供給体２３の下面が案内レール１０の上面１０Ａに安定的に接触するようになる。
【００４４】
また、潤滑剤供給体２３は、補強板２６及びサイドシール２４間に挟み込んで配設される部材であるので、転動体の転がりを長期間維持するのに十分な量の潤滑剤を含有させ得る大きさとすることが容易である。しかも、潤滑剤供給体２３を鋼板等の他の部材に固着する構造ではないので、消耗品である潤滑剤供給体２３の部品コストを低減することができ、配設の際の手間も簡単であるという利点がある。
【００４５】
そして、潤滑剤供給体２３を、補強板２６及びサイドシール２４との間に挟み込んで配設しているため、サイドシール２４の案内レール１０との接触部分、すなわちリップ部２５は、スライダ２０が往復移動してもまくり上がりにくい。よって、スライダ２０の内部のグリースが外部に漏れることも低減される。また、潤滑剤供給体２３からしみ出た潤滑剤は、サイドシール２４のリップ部２５にも供給されるから、そのリップ部２５の磨耗を低減するのにも役立つ。その結果、サイドシール２４によるシール性が長期間維持され、本体２１側への異物の侵入が防止され、直動装置自体の長寿命化も図れるという利点がある。
【００４６】
（他の実施形態）
次に、潤滑剤供給体及び直動装置の他の実施形態について図面を参照して説明する。なお、本実施形態は、上述した実施形態と同様の部材及び部位には、同じ符号を付し、その重複する説明は省略する。すなわち、本実施形態にあっては、上記実施形態と同等の構造の直動装置において、潤滑剤供給体２３の形状を変更したものである。
【００４７】
図５は、直動装置の他の態様におけるスライダの端部に取り付けられる各部材の取付状態を示す分解斜視図である。また、図６は、潤滑剤供給体の他の態様における挙動を示す正面図であり、（ａ）は嵌合部材を第１貫通孔に嵌め込んでいない場合の正面図、（ａ）は嵌合部材を第１貫通孔に嵌め込んだ場合の正面図である。
【００４８】
［嵌合部材］
図５及び図６（ｂ）に示すように、潤滑剤供給体２３の両袖部２３Ａ，２３Ｂに形成された第２貫通孔２３ａ，２３ｂのそれぞれには、リング状（又は中実円柱状）の嵌合部材（以下、リング状部材ということがある）２８，２８が組み立てられる段階で既に嵌め込まれている。これら嵌合部材２８，２８は、図５及び図６（ｂ）に示すように、短い円筒形状の部材であり、その外径は、第２貫通孔２３ａ，２３ｂのそれぞれの内径より外径が大きい寸法となっている。つまり、嵌合部材２８は、第２貫通孔２３ａ，２３ｂに嵌め込むことにより、それら第２貫通孔２３ａ，２３ｂを押し広げる付勢手段として機能するようになっている。
【００４９】
また、嵌合部材２８，２８の軸方向の長さは、潤滑剤供給体２３の厚さよりも、若干（例えば、０．２ｍｍ程度）長くなっている。つまり、嵌合部材２８，２８を第２貫通孔２３ａ，２３ｂのそれぞれに嵌め込むと、嵌合部材２８，２８のそれぞれの端部が、潤滑剤供給体２３の表面又は裏面から突出するようになっている。
【００５０】
ここで、従来の潤滑剤供給体においては、図６（ａ）に示すように、気泡同士が連結し、大きな気泡３０が脚部２３Ａ，２３Ｂに生じる場合がある。このような大きな気泡３０内では、潤滑剤が偏って含有されているため、潤滑剤の放出にムラが生じ、好ましくない。
【００５１】
そこで、本実施形態では、潤滑剤供給体２３の脚部２３Ａ，２３Ｂに形成される第２貫通孔２３ａ，２３ｂの側面側を切り欠いて開放しているため、図６（ａ），（ｂ）に示すように、袖部２３Ａ及び２３Ｂを容易に上下に押し広げることができる。そして、それら第２貫通孔２３ａ，２３ｂには、その内径よりも外径が大きい嵌合部材２８，２８がそれぞれ嵌め込まれるので、図６（ｂ）に示すように、潤滑剤供給体２３を案内レール１０に跨がせた状態では、付勢手段である嵌合部材２８，２８が第２貫通孔２３ａ，２３ｂを上下に押し広げることにより、胴部２３Ｃを案内レール１０に押し付ける付勢力が発生する。
【００５２】
そしてそれに伴って、脚部２３Ａ，２３Ｂに生じた大きな気泡３０が潤滑剤供給体２３の高さ方向（胴部２３Ｃを基準として突出する向き）に扁平して、案内レール１０の接触力によりその大きな気泡３０から潤滑剤が放出され、各気泡へ拡散する。
その結果、長期的な潤滑剤保持性能を有する潤滑剤供給体、及び長期に渡りムラが少なく安定した潤滑状態が維持された直動装置を提供することができる。
【００５３】
以上で、特定の実施形態を参照して本発明を説明したが、これら説明によって発明を限定することを意図するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例又は実施形態も網羅すると解すべきである。
【００５４】
例えば、リップ部２５は、潤滑剤を含有したゴムから成形した構成が好ましいが、潤滑剤供給体２３からリップ部２５に潤滑剤が供給されるため、リップ部２５は、潤滑剤を含有しないＮＢＲ（アクリロニトリルブタジデンゴム）であってもよい。また、補強板２６を省略し、潤滑剤供給体２３をエンドキャップ２１とサイドシール２４との間に挟み込んで配設してもよいし、潤滑剤供給体２３は実質的にシール装置としても機能するから、サイドシール２４の代わりに補強板２６と同様の鋼板を補強板又はプロテクターとして配設してもよい。場合によっては、潤滑剤供給体２３とエンドキャップ２１との間に、補強板２６に代えてサイドシール２４を配設してもよい。
【００５５】
また、上記実施形態では、嵌合部材２７，２８の軸方向の厚さを潤滑剤供給体２３の厚さよりも大きくしたが、嵌合部材２７，２８の軸方向の厚さは、潤滑剤供給体２３の厚さと等しいか或いは多少小さくても良いし、或いは、嵌合部材２８についてのみその厚さを潤滑剤供給体２３の厚さよりも大きくてもよい。すなわち、潤滑剤供給体２３をボルト２９Ａ，２９Ｂを締め込んで固定したときにボルト２９Ａ，２９Ｂが締め込まれ過ぎて潤滑剤供給体２３の案内レール１０の軸方向と直角な方向への変形が妨げられない厚さの関係になっていればよい。
【００５６】
また、直動装置は、上述した実施形態のタイプに限定されるものではなく、例えば負荷転動体転動溝が片側二条以外のものでもよいし、転動体がボールではなく例えばころであってもよい。
【符号の説明】
【００５７】
１０  案内レール
２０  スライダ
２３  潤滑剤供給体
２３Ａ  袖部
２３ａ  第２貫通孔
２３０ａ  （袖部の）側面
２３Ｂ  袖部
２３ｂ  第２貫通孔
２３０ｂ  （袖部の）側面
２３Ｃ  胴部
２３ｃ  第１貫通孔
２３０ｃ  （胴部の）上面
２７  嵌合部材
２８  嵌合部材
３０  連続気泡
【図１】
2017026110.tif 000003
【図２】
2017026110.tif 000004
【図３】
2017026110.tif 000005
【図４】
2017026110.tif 000006
【図５】
2017026110.tif 000007
【図６】
2017026110.tif 000008